(57)【特許請求の範囲】
【請求項１】
環状に湾曲された環状素材の端面をプレスするコイニング工程を備えたワッシャの製造方法において、
上記コイニング工程時に、上記環状素材の端面に環状凹部を成形することを特徴とするワッシャの製造方法。
【請求項２】
上記環状凹部の断面形状がＶ字形であることを特徴とする請求項１に記載のワッシャの製造方法。
【請求項３】
上記コイニング工程時に、上記環状素材の端面における内周部と外周部との少なくともいずれか一方に面付け部を成形することを特徴とする請求項１又は請求項２に記載のワッシャの製造方法。
【発明の詳細な説明】
【０００１】
【産業上の利用分野】
本発明はワッシャの製造方法に関し、より詳しくは、環状素材の端面をプレスするコイニング工程を備えたワッシャの製造方法に関する。
【０００２】
【従来の技術】
従来一般に、ワッシャを製造する場合には、直線状の帯状素材を環状に湾曲させた後に、該環状に湾曲された環状素材の端面をプレスすることによりコイニング工程を施している。
直線状の帯状素材を環状に湾曲させると、環状に湾曲された帯状素材の内周側の軸方向寸法は外周側の軸方向寸法よりも僅かに大きくなり、またスプリングバックが生じるようになる。
そのため上記コイニング工程を施すことにより、上記内周側の軸方向寸法と外周側の軸方向寸法とを揃えるとともに、スプリングバックが無くなるようにしている。
【０００３】
【発明が解決しようとする課題】
しかしながら、上記内周側の軸方向寸法と外周側の軸方向寸法とを揃え、かつスプリングバックを無くすためには、かなり高い圧力を帯状素材の端面に加える必要があり、その結果、ワッシャを寸法精度良く形成することが困難となっていた。
本発明はそのような事情に鑑み、より効果的にスプリングバックを無くすことができるようにし、かつ内周側の軸方向寸法と外周側の軸方向寸法を揃えるようにして、ワッシャを寸法精度良く成形することができるようにしたワッシャの製造方法を提供するものである。
【０００４】
【課題を解決するための手段】
すなわち本発明は、環状に湾曲された帯状素材の端面をプレスするコイニング工程を備えたワッシャの製造方法において、
上記コイニング工程時に、上記帯状素材の端面に環状凹部を成形するようにしたものである。
【０００５】
【作用】
上述した製造方法によれば、コイニング工程時に、帯状素材の端面に同時に環状凹部を形成しているので、該環状凹部を成形することによる材料の流れにより該環状凹部を成形しない場合に比較して、より効果的にスプリングバックを無くすことができるとともに、内周側の軸方向寸法と外周側の軸方向寸法とを揃えることができ、それによってワッシャを寸法精度良く成形することができる。
【０００６】
【実施例】
以下図示実施例について本発明を説明すると、図１、図２において、帯状素材にコイニングを施すためのダイ１は、図示しないプレス機のベースに固定してあり、他方、パンチ２は上記プレス機によって昇降されるようになっている。
上記ダイ１の上端面には、帯状素材３を嵌合するために環状溝１Ａを形成してあり、ここに帯状素材３を嵌合した状態でダイ１とパンチ２とによって該帯状素材３の端面をプレスすることにより、コイニングを施すことができるようになっている。
上記環状溝１Ａは、図３に拡大して示すように、ダイ１の上面から鉛直下方に伸びる外周面１ａと、この外周面１ａよりも内側で、上記帯状素材３の径方向寸法分だけ隔てて外周面１ａと平行に伸びる内周面１ｂと、これら外周面１ａと内周面１ｂの下部を連続させる水平方向に伸びる底面１ｃとを備えている。
そして、上記底面１ｃの中央部に上方に向けて突出する逆Ｖ字状の環状膨出部１ｄを形成してあり、また外周面１ａと底面１ｃとの間と、内周面１ｂと底面１ｃとの間に、それぞれ斜めに伸びる外側斜面１ｅと内側斜面１ｆとを形成している。
【０００７】
上記環状溝１Ａの内周面１ｂは、該環状溝１Ａの外周面１ａよりも低くしてあり、環状溝１Ａ内に帯状素材３を収容した状態では、該帯状素材３の外周面は環状溝１Ａ内に収容されるが、帯状素材３の内周面はその上半分程度が環状溝１Ａの外部に露出するようになっている。
他方、上記パンチ２は円柱状に形成してあり、その下端面中央に円柱状の突出部２Ａを形成している。上記パンチ２の本体部分の外径は上記環状溝１Ａの外周面１ａの径と同一としてあり、また突出部２Ａの外径は、環状溝１Ａの内周面１ｂの径と同一としてある。そして上記突出部２Ａの下方への突出量は、該突出部２Ａの外周側に形成した環状プレス面２Ｂで帯状素材３の端面をプレスした際に、上記突出部２Ａの下面がダイ１に当接しないように設定している。
【０００８】
次に、上記構成を有するダイ１とパンチ２によって帯状素材３にコイニングを施すコイニング工程について説明すると、上記帯状素材３は、予め従来公知の適宜の曲げ工程によって、直線状の帯状素材から環状に湾曲されて成形されている。上記帯状素材３は、肉厚の裏金層３Ａと、この裏金層３Ａの表面を被覆する薄肉のライニング層３Ｂとを備えており、ライニング層３Ｂの表面が帯状素材３の一方の端面となるように環状に湾曲されている。
このとき、裏金層３Ａの表面は平坦となっており、また裏金層３Ａの表面と外周面との連続部、および裏金層３Ａの表面と内周面との角部は、実質的に直角となっている。但し、直線状の帯状素材を環状に湾曲させることにより、帯状素材３の内周側の軸方向寸法は外周側の軸方向寸法よりも僅かに大きくなっており、またスプリングバックが生じて、図示しないが帯状素材の両端の突き合わせ面はそのスプリングバックにより僅かに開いている。
【０００９】
上述のように成形されている帯状素材３を、その裏金層３Ａ側が下側となるようにしてダイ１の環状溝１Ａ内にセットしたら、次にパンチ２を降下させる。すると、先ずパンチ２の突出部２Ａが帯状素材３内に嵌合され、これに続いて環状プレス面２Ｂが帯状素材３の上端面に当接される。
さらに引き続いてパンチ２を降下させると、帯状素材３の端面すなわち上下面が押圧され、図４に示すように、環状膨出部１ｄにより帯状素材３の下端面の中央部分に断面逆Ｖ字状の環状凹部３ａが成形されると同時に、外側斜面１ｅと内側斜面１ｆとによって帯状素材３の下端面の外側と内側の各角部に外側面付け部３ｂと内側面付け部３ｃが成形されて、ワッシャ３として完成される。
この後、パンチ２が上方に移動してコイニング工程が終了したら、ワッシャ３は環状溝１Ａ内から取出されるようになる。
【００１０】
上述した製造方法によれば、コイニング工程時に、帯状素材３の端面に環状凹部３ａを成形しているので、該環状凹部３ａを成形しない場合に比較して、効果的にスプリングバックを無くすことができると同時に、帯状素材３のねじれ、うねりや歪などを平坦に揃えることができ、それによってワッシャを寸法精度良く成形することができる。
このとき、単純にスプリングバックをとるだけであれば、ダイ１につける環状膨出部１ｄは大きい方がよい。しかし帯状素材３の内外周の厚さの差をとるには、この環状膨出部１ｄは厚さの厚い内周から厚さの薄い外周への材料の流れを妨げることになるため、できるだけ小さい方がよい。したがって環状膨出部１ｄの大きさおよび高さは、スプリングバックを無くしつつかつ内外周の厚さの差を効果的にとれるような設定とする。
また、上記コイニング工程時に同時に外側面付け部３ｂと内側面付け部３ｃとを成形しているので、コイニング工程の後に上記外側面付け部３ｂと内側面付け部３ｃとを旋削加工する場合に比較して、製造工程を単純化することができ、それにより面付きワッシャの製造コストを従来に比較して低減することができる。
【００１１】
なお、上記実施例では、パンチ２の環状プレス面２Ｂを平坦に形成し、ダイ１の環状溝１Ａに環状膨出部１ｄを設けているが、これとは逆に、環状プレス面２Ｂに環状膨出部１ｄ、外側斜面２および内側斜面２ｄを形成するとともに、ダイ１の環状溝１Ａの底面を平坦に形成し、かつ、帯状素材３のライニング層３Ｂが下側となるようにして該帯状素材３をコイニングしてもよい。
【００１２】
【発明の効果】
以上のように、本発明の製造方法によれば、コイニング工程時に環状凹部を形成しているので、ワッシャのスプリングバックを効果的に無くすことができ、それによってワッシャの寸法精度を良くすることができるという効果が得られる。
【図面の簡単な説明】
【図１】ダイ１とパンチ２の正面図。
【図２】図１の側面図。
【図３】図１のＡ−Ａ線に沿うダイ１とパンチ２、および帯状素材３の拡大断面図。
【図４】コイニング加工後の帯状素材３を示す断面図。
【符号の説明】
１…ダイ              １Ａ…環状溝            １ｄ…環状膨出部
１ｅ…外側斜面        １ｆ…内側斜面          ２…パンチ
２Ａ…突出部          ２Ｂ…環状プレス面      ３…帯状素材
３ａ…環状凹部        ３ｂ…外側面付け部      ３ｃ…内側面付け部
【図１】
0003565395.tif 000002
【図２】
0003565395.tif 000003
【図３】
0003565395.tif 000004
【図４】
0003565395.tif 000005